(57)【特許請求の範囲】
【請求項１】
アンテナパターン部、連結端子部、前記アンテナパターン部と連結端子部を連結する連結部を含む放射体と、
前記放射体がモールド射出成形され、前記アンテナパターン部が一方の面に形成され、前記連結端子部が他方の面に形成される放射体フレームと、
前記アンテナパターン部が前記放射体フレームとの間に隠れるように前記放射体フレームを覆うケースフレームと、
前記連結端子部が形成される前記他方の面上に接触支持される支持部と、メイン印刷回路基板に連結されるケーブルの一面と前記一面の反対側の反対面を収容するように形成される第１収容ラックと第２収容ラックを有するケーブルコネクションピンと
を含むアンテナ埋込型電子装置。
【請求項２】
前記ケースフレームは、前記放射体フレーム上に射出液を提供して射出成形されることを特徴とする請求項１に記載のアンテナ埋込型電子装置。
【請求項３】
複数の前記支持部を有し、
前記複数の支持部は、前記他方の面の複数の部分と接触し、
前記複数の支持部のそれぞれは、前記反対面上に突出した連結突起が貫通する貫通ホールが形成される平板であり、
前記複数の支持部を互いに連結する連結ラックをさらに含むことを特徴とする請求項１または２に記載のアンテナ埋込型電子装置。
【請求項４】
前記連結突起は、前記貫通ホールと熱融着固定されることを特徴とする請求項３に記載のアンテナ埋込型電子装置。
【請求項５】
前記第１収容ラック、および第２収容ラックの少なくとも一方は、前記支持部のうち１つの支持部のみに連結されることを特徴とする請求項３または４に記載のアンテナ埋込型電子装置。
【請求項６】
前記連結ラックは、前記ケーブルの一面または前記反対面のうちいずれかの面を包囲して収容するように形成されることを特徴とする請求項３から５のいずれか一項に記載のアンテナ埋込型電子装置。
【請求項７】
前記第１収容ラックは前記ケーブルの前記一面を収容し、前記第２収容ラックは前記ケーブルの前記反対面を収容し、前記連結ラックは、前記ケーブルの前記一面を収容することを特徴とする請求項５または６に記載のアンテナ埋込型電子装置。
【請求項８】
前記第１収容ラックは、前記ケーブルの信号連結線とコンタクトされ、
前記第２収容ラックは前記他方の面に露出するアンテナの連結端子部とコンタクトされるように連結パッドを具備することを特徴とする請求項３から７の何れか一項に記載のアンテナ埋込型電子装置。
【請求項９】
前記連結ラックは、前記ケーブルのグラウンド線とコンタクトされることを特徴とする請求項８に記載のアンテナ埋込型電子装置。
【請求項１０】
前記第１収容ラック、および第２収容ラックの少なくとも一方は、前記ケーブルの被覆を収容することを特徴とする請求項１から９の何れか一項に記載のアンテナ埋込型電子装置。
【請求項１１】
前記ケーブルは、同軸ケーブルであることを特徴とする請求項１から１０の何れか一項に記載のアンテナ埋込型電子装置。
【発明の詳細な説明】
【技術分野】
【０００１】
本発明は、電子装置のケースの内部に埋め込まれたアンテナの連結端子部とケーブルを安定して連結するためのケーブルコネクションピン、及びこれを含むアンテナ埋込型電子装置に関する。
【背景技術】
【０００２】
無線通信を支援する携帯電話、ＰＤＡ、ナビゲーション、ノートＰＣ等の移動通信端末機のような電子装置は、現代社会においてなくてはならない重要な装置である。上記移動通信端末機は、ＣＤＭＡ、無線ラン、ＧＳＭ、ＤＭＢ等の機能が付加される傾向に発展しており、これらの機能を可能にする最も重要な部品の１つがアンテナである。
【０００３】
最近は、アンテナを移動通信端末機のような電子装置のケースの内部に埋め込む方案が提示されている。
【０００４】
アンテナが埋め込まれた電子装置ケースのアンテナの連結端子部と、電子装置のメイン印刷回路基板との信号送受信のために同軸ケーブルを使用する場合、従来には印刷回路基板に同軸ケーブルを連結し、上記アンテナの連結端子部に連結されたＣ−クリップを上記同軸ケーブルの信号連結線に半田付けして使用していた。
【０００５】
このような方式は、同軸ケーブルと上記アンテナの連結端子部を連結するために印刷回路基板を利用しなければならず、材料コストが上昇するという問題点がある。
【０００６】
また、Ｃ−クリップと同軸ケーブルの半田付けによって全体の製造工程が長くなり、高温の半田付け工程によってアンテナ接点の不良が発生するという問題点がある。
【発明の概要】
【発明が解決しようとする課題】
【０００７】
本発明の目的は、アンテナ埋込型電子装置のケースの連結端子部とケーブルを安定して連結するためのケーブルコネクションピンを提供することにある。
【０００８】
また、本発明のさらに他の目的は、アンテナ埋込型電子装置ケースに同軸ケーブルを安定して連結するコネクションピンを含むアンテナ埋込型電子装置を提供することにある。
【課題を解決するための手段】
【００１７】
本発明の一実施例によるアンテナ埋込型電子装置は、アンテナパターン部、連結端子部、上記アンテナパターン部と連結端子部を連結する連結部を含む放射体と、上記放射体がモールド射出成形され、上記アンテナパターン部が一面に形成され、上記連結端子部が反対面に形成される放射体フレームと、上記アンテナパターン部が上記放射体フレームとの間に隠れるように上記放射体フレームを覆うケースフレームと、上記連結端子部が形成される反対面上に接触支持される支持部と、メイン印刷回路基板に連結されるケーブルの一面と反対面を収容するように形成される第１収容ラックと第２収容ラックを有するケーブルコネクションピンと、を含むことができる。
【００１８】
【００１９】
【００２０】
また、本発明の一実施例によるアンテナ埋込型電子装置の上記反対面上に突出した連結突起は、複数の上記支持部のそれぞれに形成された貫通ホールと熱融着固定されることができる。
【００２１】
【００２２】
【００２３】
【００２４】
【００２５】
【００２６】
【００２７】
また、本発明の一実施例によるアンテナ埋込型電子装置の上記ケーブルは、同軸ケーブルであることができる。
【発明の効果】
【００２８】
本発明の一実施例によるケーブルコネクションピン及びこれを含む電子装置によると、連結端子部に同軸ケーブルを連結する時に印刷回路基板を使用しなくてもよいため、部品数を低減させることができる。
【００２９】
また、部品数を低減することによって、材料コストを低下させることができ、製造工程を単純化させることができる。
【００３０】
また、相対的に半田付けよりは低温で固定突起を熱融着することによってケーブルコネクションピンを固定することができるため、アンテナ接点の不良が減少するという効果が得られる。
【図面の簡単な説明】
【００３１】
【図１】本発明の一実施例によるアンテナ埋込型電子装置であるノートＰＣのケースを部分切開し、その部分の一部を拡大した概略斜視図である。
【図２】本発明の一実施例によるアンテナ埋込型電子装置ケースとケーブルコネクションピンの連結状態を示した概略斜視図である。
【図３】図２のアンテナ埋込型電子装置ケースとケーブルコネクションピンの連結状態を概略的に図示した分解斜視図である。
【図４】本発明の一実施例によるケーブルコネクションピンの斜視図である。
【図５】図４の底面斜視図である。
【図６】図４をＡ方向から見た平面図である。
【図７】本発明の一実施例によるアンテナ埋込型電子装置ケースにケーブルコネクションピンが熱融着で固定された状態を示した概略斜視図である。
【発明を実施するための形態】
【００３２】
以下に、図面を参照して本発明の具体的な実施例について詳述する。但し、本発明の思想は提示される実施例に限らず、本発明の思想を理解する当業者は同一の思想の範囲内で他の構成要素の追加、変更、削除等を通して退歩的な他の発明や本発明の思想の範囲内に含まれる他の実施例を容易に提案することができ、これも本願発明の思想の範囲内に含まれる。
【００３３】
また、各実施例の図面に示す同一または類似する思想の範囲内で機能が同一の構成要素は同一または類似する参照符号を用いて説明する。
【００３４】
図１は、本発明の一実施例によるアンテナ埋込型電子装置であるノートＰＣのケースを部分切開し、その部分の一部を拡大した概略斜視図であり、図２は、本発明の一実施例によるアンテナ埋込型電子装置ケースとケーブルコネクションピンの連結状態を示した概略斜視図であり、図３は、図２のアンテナ埋込型電子装置ケースとケーブルコネクションピンの連結状態を概略的に図示した分解斜視図である。
【００３５】
図１から図３を参照すると、本発明の一実施例によるアンテナ埋込型電子装置は、放射体２２０と、放射体フレーム２００と、ケースフレーム１２０と、ケーブルコネクションピン３００と、を含むことができる。
【００３６】
本実施例において、電子装置はノートＰＣ１００を図示しているが、メイン印刷回路基板１５０と放射体２２０の信号送受信のためにケーブル４００で連結する必要のある電子装置であればどのようなものでも構わない。
【００３７】
ここで、ケーブル４００は、同軸ケーブルであることができ、外部被覆４２０内の芯線である信号伝達線４５０と、上記信号伝達線４５０の外周面に形成されるグラウンド線４４０とを含むことができる。
【００３８】
上記放射体２２０は、アンテナパターン部２２２と、連結端子部２２４と、上記アンテナパターン部２２２と連結端子部２２４を連結する連結部２２５と、を含むことができる。
【００３９】
この際、上記放射体２２０は、上記アンテナパターン部２２２、連結端子部２２４及び上記連結部２２５が一体の構造を成すが、連結部２２５と連結端子部２２４が上記アンテナパターン部２２２から分離した構造であってもよい。
【００４０】
上記アンテナパターン部２２２は、信号帯域による長さを有するためにメアンダパターンを成すことができる。そして、連結端子部２２４は、上記アンテナパターン部２２２とメイン印刷回路基板１５０の信号交換のために上記ケーブル４００と連結されることができる。
【００４１】
一方、上記放射体２２０はモールド射出成形され、放射体フレーム２００の一面２００ａにアンテナパターン部２２２が形成され、上記一面２００ａの反対面２００ｂに連結端子部２２４が連結されることができる。
【００４２】
上記放射体フレーム２００は、ノートＰＣ１００のケースフレーム１２０に覆われ、上記アンテナパターン部２２２が埋め込まれた電子装置ケース１１０となる。
【００４３】
上記ケースフレーム１２０は、上記放射体フレーム２００とは別途の射出物であることができ、上記放射体フレーム２００を電子装置ケース１１０射出金型に入れ、上記放射体フレーム２００の一面２００ａ上に射出液を提供して射出成形されることによって形成されることができる。即ち、二重射出されてアンテナパターン部２２２が埋め込まれる電子装置ケース１１０となることができる。
【００４４】
上記ケースコネクションピン３００は、上記連結端子部２２４が露出する上記放射体フレーム２００の反対面２００ｂに固定され、ケーブル４００を固定することができる。
【００４５】
上記ケースコネクションピン３００は、以下に説明する技術的特徴を全て含んでなることができる。
【００４６】
図４は、本発明の一実施例によるケーブルコネクションピンの斜視図であり、図５は、図４の底面斜視図であり、図６は、図４をＡ方向から見た平面図である。
【００４７】
図４から図６を参照すると、本発明の一実施例によるケーブルコネクションピン３００は、支持部３２０と、第１収容ラック３４０と、第２収容ラック３５０と、を含むことができる。
【００４８】
上記支持部３２０は射出面、即ち、放射体フレーム２００の反対面２００ｂに接触して支持される。上記支持部３２０は、ケーブル４００が結合される第１収容ラック３４０と第２収容ラック３５０を具備するという前提で、１個または複数からなることができる。
【００４９】
上記ケーブルコネクションピン３００は、弾性を有する金属プレートをドローイング加工して製造することができ、上記支持部３２０から延長され、第１収容ラック３４０及び第２収容ラック３５０が形成されるように金属プレートを切開することができる。ここで、上記第１収容ラック３４０、第２収容ラック３５０、または、第１収容ラック３４０及び第２収容ラック３５０は、多数の支持部３２０のうち１個の支持部３２０のみに連結されてもよい。
【００５０】
本実施例の上記ケーブルコネクションピン３００は、上記射出面の２つの部分で接触するよう、２つの支持部３２０を有する。
【００５１】
上記ケーブルコネクションピン３００の２つの支持部３２０は連結ラックにより互いに連結されている。第１収容ラック３４０及び第２収容ラック３５０は、ケーブル４００を包囲するように１個の支持部３２０のみに連結され、他の支持部３２０とは切開されている。
【００５２】
図３に示したように、上記第１収容ラック３４０は、上記ケーブル４００の一面４２０ａを収容するように形成され、上記第２収容ラック３５０は、上記一面４２０ａの反対面４２０ｂを収容するように形成されることができる。
【００５３】
上記第１収容ラック３４０と第２収容ラック３５０は、弾性を用いて上記ケーブル４００を取り囲んで固定することができる。
【００５４】
上記連結ラック３６０もまた、上記ケーブルの一面４２０ａまたは反対面４２０ｂのうちいずれかの面を収容するように丸形状を有することができる。
【００５５】
上記第１収容ラック３４０、第２収容ラック３５０及び連結ラック３６０は、上記ケーブル４００の長さ方向に沿って一面４２０ａ、反対面４２０ｂ及び一面４２０ａをそれぞれ収容するように形成されることができる。
【００５６】
この際、上記第１収容ラック３４０、第２収容ラック３５０及び連結ラック３６０はケーブルの被覆４２０を収容することができる。また、上記ケーブルコネクションピン３００は、図３のように、放射体フレーム２００の反対面２００ｂに露出する連結端子部２２４に上記ケーブル４００を上記第１収容ラック３４０、第２収容ラック３５０及び連結ラック３６０で連結することができる。
【００５７】
この際、上記第１収容ラック３４０は上記ケーブル４００の信号伝達線４５０とコンタクトされることができる。また、上記第２収容ラック３５０は、放射体フレーム２００の反対面２００ｂに露出する放射体２２０の連結端子部２２４とコンタクトされるように連結パッド３５５を具備することができる。
【００５８】
そして、上記連結ラック３６０は、上記ケーブル４００のグラウンド線４４０とコンタクトされ、アンテナで発生するノイズを図１に図示されたメイン印刷回路基板１５０に放出させることができる。
【００５９】
図７は、本発明の一実施例によるアンテナ埋込型電子装置ケースにケーブルコネクションピンが熱融着で固定された状態を示した概略斜視図である。
【００６０】
上記ケーブルコネクションピン３００の上記支持部３２０は、上記放射体フレーム２００の反対面２００ｂから突出する連結突起２２３が貫通する貫通ホール３２５が形成されることができる。
【００６１】
上記連結突起２２３を上記支持部３２０の貫通ホール３２５に挿入した後、上記貫通ホール３２５の上部に突出する連結突起２２３の一部分を熱融着して上記放射体フレーム２００の反対面２００ｂ上に堅固に固定することができる。
【００６２】
本発明の一実施例によるケーブルコネクションピン及びこれを含む電子装置によると、連結端子部に同軸ケーブルを連結する時に印刷回路基板を使用しなくてもよいため、部品数を低減することができる。
【００６３】
また、部品数を低減することによって材料コストを低下させることができ、製造工程を単純化させることができる。
【００６４】
さらに、相対的に半田付けよりは低温で固定突起を熱融着することで、ケーブルコネクションピンを固定することができ、アンテナ接点の不良を減少させるという効果がある。
【符号の説明】
【００６５】
１００  ノートＰＣ
２００  放射体フレーム
２２０  放射体
３００  ケーブルコネクションピン
４００  ケーブル
【図１】
0005633908.tif 000002
【図２】
0005633908.tif 000003
【図３】
0005633908.tif 000004
【図４】
0005633908.tif 000005
【図５】
0005633908.tif 000006
【図６】
0005633908.tif 000007
【図７】
0005633908.tif 000008